(57)【要約】【課題】本発明はインテリジェントセーフティロックを開示した。【解決手段】ロックボディ及び前記ロックボディと協働されるロックブロックを含み、前記ロックボディは前記ロックボディの中に設置される第一伝動空間を含み、前記第一伝動空間の右側端壁の中には上下対称の第二伝動空間が連通するように設置され、上下二つの前記第二伝動空間の間には押圧プッシュ空間が設置され、前記押圧プッシュ空間の中には押圧プッシュ装置が設置され、本発明のインテリジェントセーフティロックは整体構造がより合理で巧妙であり、使用にも便利であり、ドアを閉める時にドアをロックし、ただし設備がロックを解くことが困難であり、機械式の鍵と顔認識モジュールとの協働が必要であり、安全性がより高い。【選択図】図１
2020180539.tif 000002
【特許請求の範囲】
【請求項１】
正面視で、ロックボディ及び前記ロックボディと協働されるロックブロックを含み、前記ロックボディは前記ロックボディの中に設置される第一伝動空間を含み、前記第一伝動空間の右側端壁の中には上下対称の第二伝動空間が連通するように設置され、上下二つの前記第二伝動空間の間には押圧プッシュ空間が設置され、前記押圧プッシュ空間の中には押圧プッシュ装置が設置され、前記第二伝動空間のうち前記押圧プッシュ空間から離れている側の端壁の中にはカム空間が設置され、前記カム空間の中には突き出し装置が設置され、前記ロックボディの右側端壁の中には右方に開口したボルト空間が設置され、前記ボルト空間の中にはボルトがスライドできるように設置され、前記ボルト空間の中にはロック装置が設置され、前記ボルト空間と前記押圧プッシュ空間との間には第一スライド穴が連通するように設置され、前記第一スライド穴の上下端壁の中には第三伝動空間が設置され、前記第三伝動空間の前側端壁の中には糸巻き空間が設置され、前記糸巻き空間にはアンロック装置が設置され、前記ロックボディの前側端壁には顔認識モジュールが固定的に設置されることを特徴とするインテリジェントセーフティロック。
【請求項２】
前記押圧プッシュ装置は前記押圧プッシュ空間１１の左側端壁の中に回転できるように設置されて前記第一伝動空間９を貫通しているねじ山スリーブ６を含み、前記第一伝動空間９の中にある前記ねじ山スリーブ６の外表面には第一傘歯車４が固定的に設置され、前記ねじ山スリーブ６の左側末端が前記第一伝動空間９の端壁の中に插入され、且つ固定的に設置されているモーター５と動力が伝達できるように連結され、前記ねじ山スリーブ６の右側端壁の中には右方に開口したネジ穴７が設置され、前記ネジ穴７の中には右へ伸びているネジロッド８がねじ山によって連結され、前記ネジロッド８の右側末端と前記スライドブロック１２とが固定的に連結され、前記第一スライド穴１６の中には前記スライドブロック１２と固定的に連結される第一スライドロッド１４がスライドできるように設置され、前記第一スライドロッド１４と前記第一スライド穴１６の端壁との間には第一弾性戻し装置１３が弾性を持つように設置され、
前記突き出し装置は前記第二伝動空間１０と前記カム空間３３との間に回転できるように設置される第一回転軸２を含み、前記第二伝動空間１０の中にある前記第一回転軸２の末端には前記第一傘歯車４と噛み合う第二傘歯車３が固定的に設置され、前記カム空間３３の中にある前記第一回転軸２の末端にはカム３２が固定的に設置され、前記カム空間３３の右側端壁の中には外部に連通する第二スライド穴３０が設置され、前記第二スライド穴３０の中には第二スライドロッド３１がスライドできるように設置され、前記第二スライドロッド３１の中には上下に貫通するロック穴２８が設置され、前記第二スライドロッド３１と前記第二スライド穴３０の端壁との間には第二弾性戻し装置が弾性を持つように設置されることを特徴とする請求項１に記載のインテリジェントセーフティロック。
【請求項３】
前記ロック装置は前記第一スライド穴の中にスライドできるように設置されて前記ボルトと固定的に連結されるラックを含み、前記ラックと前記第一スライドロッドとの間には力蓄積バネが弾性を持つように設置され、前記第三伝動空間の中には前記ラックと噛み合うラチェットギアが回転できるように設置され、前記第三伝動空間のうち前記第一スライド穴から離れている側の端壁の中には滑車空間が設置され、前記滑車空間と前記第三伝動空間との間には第三スライド穴が連通するように設置され、前記第三スライド穴の中には前記ラチェットギアと協働される第三スライドロッドがスライドできるように設置され、前記第三スライドロッドと前記第三スライド穴の端壁との間には第三弾性戻し装置が弾性を持つように設置され、前記滑車空間と前記糸巻き空間との間には引き線穴が連通するように設置され、前記滑車空間の中には滑車が回転できるように設置され、前記糸巻き空間の前側端壁の中には前後に伸びている第二回転軸が回転できるように設置され、前記糸巻き空間の中にある前記第二回転軸の外表面にはリールが固定的に設置され、前記リールの外表面には前記滑車を通し抜けて前記第三スライドロッドと固定的に連結される引き線が周設され、前記第二回転軸の前側末端には機械キーシリンダが固定的に連結され、
前記ロックボディの右側端壁には前記ボルト空間の上下両側に位置する第四スライド穴が設置され、前記ボルト空間の上下端壁の中には前記第四スライド穴を貫通している第五スライド穴が設置され、前記第四スライド穴の中には第四スライドロッドがスライドできるように設置され、前記第四スライドロッドと前記第四スライド穴の端壁との間には第四弾性戻し装置が弾性を持つように設置され、前記第五スライド穴の中には第五スライドロッドがスライドできるように設置され、前記第五スライドロッドと前記第五スライド穴の端壁との間には第五弾性戻し装置が弾性を持つように設置され、前記第五スライドロッドの中には左右を貫通している楔形穴が設置され、前記ボルトの上下端壁の中には凹溝が対称的に設置されることを特徴とする請求項１又は請求項２に記載のインテリジェントセーフティロック。
【請求項４】
前記ロックブロックの左側端壁の中には左方に開口したロック溝及び前記ロック溝の上下両側に対称的に設置される差し込み穴が設置され、前記差し込み穴と前記ロック溝との間には第六スライド穴が連通するように設置され、前記第六スライド穴の中には第六スライドロッドがスライドできるように設置され、前記第六スライドロッドと前記第六スライド穴の端壁との間には第六弾性戻し装置が弾性を持つように設置されることを特徴とする請求項１又は請求項２又は請求項３に記載のインテリジェントセーフティロック。
【発明の詳細な説明】
【技術分野】
【０００１】
本発明はロック分野に関わり、具体的にはインテリジェントセーフティロックである。
【背景技術】
【０００２】
伝統的なインテリジェントセーフティロックは安全性が低く、ロックする方式が単一であり、既存のニーズを満たすことができなく、したがって、既存技術の中のセーフティロックを更に改善する必要があり、それによりセーフティロックの信頼度と安全性を高める。
【先行技術文献】
【特許文献】
【０００３】
【特許文献１】中国特許出願公開第１０４９４８０２７号明細書
【発明の概要】
【発明が解決しようとする課題】
【０００４】
本発明はインテリジェントセーフティロックを提供し、既存技術にある上記問題を解決し、設備の信頼度と安全性を高めることを目的とする。
【課題を解決するための手段】
【０００５】
本発明のインテリジェントセーフティロックは、ロックボディ及び前記ロックボディと協働されるロックブロックを含み、前記ロックボディは前記ロックボディの中に設置される第一伝動空間を含み、前記第一伝動空間の右側端壁の中には上下対称の第二伝動空間が連通するように設置され、上下二つの前記第二伝動空間の間には押圧プッシュ空間が設置され、前記押圧プッシュ空間の中には押圧プッシュ装置が設置され、前記第二伝動空間のうち前記押圧プッシュ空間から離れている側の端壁の中にはカム空間が設置され、前記カム空間の中には突き出し装置が設置され、前記ロックボディの右側端壁の中には右方に開口したボルト空間が設置され、前記ボルト空間の中にはボルトがスライドできるように設置され、前記ボルト空間の中にはロック装置が設置され、前記ボルト空間と前記押圧プッシュ空間との間には第一スライド穴が連通するように設置され、前記第一スライド穴の上下端壁の中には第三伝動空間が設置され、前記第三伝動空間の前側端壁の中には糸巻き空間が設置され、前記糸巻き空間にはアンロック装置が設置され、前記ロックボディの前側端壁には顔認識モジュールが固定的に設置される。
【０００６】
前記押圧プッシュ装置は前記押圧プッシュ空間の左側端壁の中に回転できるように設置されて前記第一伝動空間を貫通しているねじ山スリーブを含み、前記第一伝動空間の中にある前記ねじ山スリーブの外表面には第一傘歯車が固定的に設置され、前記ねじ山スリーブの左側末端が前記第一伝動空間の端壁の中に插入され、且つ固定的に設置されているモーターと動力が伝達できるように連結され、前記ねじ山スリーブの右側端壁の中には右方に開口したネジ穴が設置され、前記ネジ穴の中には右へ伸びているネジロッドがねじ山によって連結され、前記ネジロッドの右側末端と前記スライドブロックとが固定的に連結され、前記第一スライド穴の中には前記スライドブロックと固定的に連結される第一スライドロッドがスライドできるように設置され、前記第一スライドロッドと前記第一スライド穴の端壁との間には第一弾性戻し装置が弾性を持つように設置される。
【０００７】
前記突き出し装置は前記第二伝動空間と前記カム空間との間に回転できるように設置される第一回転軸を含み、前記第二伝動空間の中にある前記第一回転軸の末端には前記第一傘歯車と噛み合う第二傘歯車が固定的に設置され、前記カム空間の中にある前記第一回転軸の末端にはカムが固定的に設置され、前記カム空間の右側端壁の中には外部に連通する第二スライド穴が設置され、前記第二スライド穴の中には第二スライドロッドがスライドできるように設置され、前記第二スライドロッドの中には上下に貫通するロック穴が設置され、前記第二スライドロッドと前記第二スライド穴の端壁との間には第二弾性戻し装置が弾性を持つように設置される。
【０００８】
好ましくは、前記ロック装置は前記第一スライド穴の中にスライドできるように設置されて前記ボルトと固定的に連結されるラックを含み、前記ラックと前記第一スライドロッドとの間には力蓄積バネが弾性を持つように設置され、前記第三伝動空間の中には前記ラックと噛み合うラチェットギアが回転できるように設置され、前記第三伝動空間のうち前記第一スライド穴から離れている側の端壁の中には滑車空間が設置され、前記滑車空間と前記第三伝動空間との間には第三スライド穴が連通するように設置され、前記第三スライド穴の中には前記ラチェットギアと協働される第三スライドロッドがスライドできるように設置され、前記第三スライドロッドと前記第三スライド穴の端壁との間には第三弾性戻し装置が弾性を持つように設置され、前記滑車空間と前記糸巻き空間との間には引き線穴が連通するように設置され、前記滑車空間の中には滑車が回転できるように設置され、前記糸巻き空間の前側端壁の中には前後に伸びている第二回転軸が回転できるように設置され、前記糸巻き空間の中にある前記第二回転軸の外表面にはリールが固定的に設置され、前記リールの外表面には前記滑車を通し抜けて前記第三スライドロッドと固定的に連結される引き線が周設され、前記第二回転軸の前側末端には機械キーシリンダが固定的に連結される。
【０００９】
前記ロックボディの右側端壁には前記ボルト空間の上下両側に位置する第四スライド穴が設置され、前記ボルト空間の上下端壁の中には前記第四スライド穴を貫通している第五スライド穴が設置され、前記第四スライド穴の中には第四スライドロッドがスライドできるように設置され、前記第四スライドロッドと前記第四スライド穴の端壁との間には第四弾性戻し装置が弾性を持つように設置され、前記第五スライド穴の中には第五スライドロッドがスライドできるように設置され、前記第五スライドロッドと前記第五スライド穴の端壁との間には第五弾性戻し装置が弾性を持つように設置され、前記第五スライドロッドの中には左右を貫通している楔形穴が設置され、前記ボルトの上下端壁の中には凹溝が対称的に設置される。
【００１０】
好ましくは、前記ロックブロックの左側端壁の中には左方に開口したロック溝及び前記ロック溝の上下両側に対称的に設置される差し込み穴が設置され、前記差し込み穴と前記ロック溝との間には第六スライド穴が連通するように設置され、前記第六スライド穴の中には第六スライドロッドがスライドできるように設置され、前記第六スライドロッドと前記第六スライド穴の端壁との間には第六弾性戻し装置が弾性を持つように設置される。
【発明の効果】
【００１１】
本発明の有益な効果は：本発明のインテリジェントセーフティロックは整体構造がより合理で巧妙であり、使用にも便利であり、ドアを閉める時にドアをロックし、ただし設備がロックを解くことが困難であり、機械式の鍵と顔認識モジュールとの協働が必要であり、安全性がより高くなり、高い使用と普及の価値がある。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のインテリジェントセーフティロックの整体構成概略図
【図２】図２は図１の中のロックボディの構成概略図
【図３】図３は図１の中のロックブロックの構成概略図
【図４】図４は図２の中のＡ―Ａの構成概略図
【発明を実施するための形態】
【００１４】
本説明書に開示したすべての特徴、または開示したすべての方法または過程中のステップは、互いに排斥する特徴と／またはステップ以外に、いずれもあらゆる方式で組み合わせることができる。
【００１５】
図１〜４に示すように、本発明のインテリジェントセーフティロックは、ロックボディ１及び前記ロックボディ１と協働されるロックブロック５０を含み、前記ロックボディ１は前記ロックボディ１の中に設置される第一伝動空間９を含み、前記第一伝動空間９の右側端壁の中には上下対称の第二伝動空間１０が連通するように設置され、上下二つの前記第二伝動空間１０の間には押圧プッシュ空間１１が設置され、前記押圧プッシュ空間１１の中には押圧プッシュ装置が設置され、前記第二伝動空間１０のうち前記押圧プッシュ空間１１から離れている側の端壁の中にはカム空間３３が設置され、前記カム空間３３の中には突き出し装置が設置され、前記ロックボディ１の右側端壁の中には右方に開口したボルト空間１９が設置され、前記ボルト空間１９の中にはボルト２０がスライドできるように設置され、前記ボルト空間１９の中にはロック装置が設置され、前記ボルト空間１９と前記押圧プッシュ空間１１との間には第一スライド穴１６が連通するように設置され、前記第一スライド穴１６の上下端壁の中には第三伝動空間４１が設置され、前記第三伝動空間４１の前側端壁の中には糸巻き空間４５が設置され、前記糸巻き空間４５にはアンロック装置が設置され、前記ロックボディ１の前側端壁には顔認識モジュール４７が固定的に設置される。
【００１６】
次に、図１〜４を参考して本願の前記押圧プッシュ装置と前記突き出し装置の具体的な構成を詳しく紹介し、前記押圧プッシュ装置は前記押圧プッシュ空間１１の左側端壁の中に回転できるように設置されて前記第一伝動空間９を貫通しているねじ山スリーブ６を含み、前記第一伝動空間９の中にある前記ねじ山スリーブ６の外表面には第一傘歯車４が固定的に設置され、前記ねじ山スリーブ６の左側末端が前記第一伝動空間９の端壁の中に插入され、且つ固定的に設置されているモーター５と動力が伝達できるように連結され、前記ねじ山スリーブ６の右側端壁の中には右方に開口したネジ穴７が設置され、前記ネジ穴７の中には右へ伸びているネジロッド８がねじ山によって連結され、前記ネジロッド８の右側末端と前記スライドブロック１２とが固定的に連結され、前記第一スライド穴１６の中には前記スライドブロック１２と固定的に連結される第一スライドロッド１４がスライドできるように設置され、前記第一スライドロッド１４と前記第一スライド穴１６の端壁との間には第一弾性戻し装置１３が弾性を持つように設置される。
【００１７】
前記突き出し装置は前記第二伝動空間１０と前記カム空間３３との間に回転できるように設置される第一回転軸２を含み、前記第二伝動空間１０の中にある前記第一回転軸２の末端には前記第一傘歯車４と噛み合う第二傘歯車３が固定的に設置され、前記カム空間３３の中にある前記第一回転軸２の末端にはカム３２が固定的に設置され、前記カム空間３３の右側端壁の中には外部に連通する第二スライド穴３０が設置され、前記第二スライド穴３０の中には第二スライドロッド３１がスライドできるように設置され、前記第二スライドロッド３１の中には上下に貫通するロック穴２８が設置され、前記第二スライドロッド３１と前記第二スライド穴３０の端壁との間には第二弾性戻し装置が弾性を持つように設置される。
【００１８】
有益なように、前記ロック装置は前記第一スライド穴１６の中にスライドできるように設置されて前記ボルト２０と固定的に連結されるラック１７を含み、前記ラック１７と前記第一スライドロッド１４との間には力蓄積バネ１５が弾性を持つように設置され、前記第三伝動空間４１の中には前記ラック１７と噛み合うラチェットギア４０が回転できるように設置され、前記第三伝動空間４１のうち前記第一スライド穴１６から離れている側の端壁の中には滑車空間３４が設置され、前記滑車空間３４と前記第三伝動空間４１との間には第三スライド穴３９が連通するように設置され、前記第三スライド穴３９の中には前記ラチェットギアと協働される第三スライドロッド３７がスライドできるように設置され、前記第三スライドロッド３７と前記第三スライド穴３９の端壁との間には第三弾性戻し装置３８が弾性を持つように設置され、前記滑車空間３４と前記糸巻き空間４５との間には引き線穴４６が連通するように設置され、前記滑車空間３４の中には滑車３５が回転できるように設置され、前記糸巻き空間４５の前側端壁の中には前後に伸びている第二回転軸４３が回転できるように設置され、前記糸巻き空間４５の中にある前記第二回転軸４３の外表面にはリール４２が固定的に設置され、前記リール４２の外表面には前記滑車３５を通し抜けて前記第三スライドロッド３７と固定的に連結される引き線３６が周設され、前記第二回転軸４３の前側末端には機械キーシリンダ４４が固定的に連結される。
【００１９】
前記ロックボディ１の右側端壁には前記ボルト空間１９の上下両側に位置する第四スライド穴２３が設置され、前記ボルト空間１９の上下端壁の中には前記第四スライド穴２３を貫通している第五スライド穴２７が設置され、前記第四スライド穴２３の中には第四スライドロッド２４がスライドできるように設置され、前記第四スライドロッド２４と前記第四スライド穴２３の端壁との間には第四弾性戻し装置２５が弾性を持つように設置され、前記第五スライド穴２７の中には第五スライドロッド２６がスライドできるように設置され、前記第五スライドロッド２６と前記第五スライド穴２７の端壁との間には第五弾性戻し装置２１が弾性を持つように設置され、前記第五スライドロッド２６の中には左右を貫通している楔形穴２２が設置され、前記ボルト２０の上下端壁の中には凹溝１８が対称的に設置される。
【００２０】
有益なように、前記ロックブロック５０の左側端壁の中には左方に開口したロック溝５５及び前記ロック溝５５の上下両側に対称的に設置される差し込み穴５１が設置され、前記差し込み穴５１と前記ロック溝５５との間には第六スライド穴５４が連通するように設置され、前記第六スライド穴５４の中には第六スライドロッド５２がスライドできるように設置され、前記第六スライドロッド５２と前記第六スライド穴５４の端壁との間には第六弾性戻し装置５３が弾性を持つように設置される。
【００２１】
本発明の設備が作動している時に、まずモーター５を始動してねじ山スリーブ６を連動して回転させ、それによりネジロッド８を連動して右へ移動させ、それにより力蓄積バネ１５を押圧し、それと同時に、ねじ山スリーブ６が回転して第一傘歯車４を連動して回転させ、それによりカム３２を連動して回転させて第二スライドロッド３１をロックボディ１から押し出し、ロックボディ１とロックブロック５０とが位置合わせる時、第二スライドロッド３１が差し込み穴５１の中に完全に插入され、ロックブロック５０が第四スライドロッド２４を左へ押し、第五スライドロッド２６を連動して上へ移動させて凹溝１８から離れさせ、ボルト２０が力蓄積バネ１５の作用により右へ移動し、ボルト２０が右へ移動して第六スライドロッド５２を連動して背に向けて移動させて第二スライドロッド３１の中にあるロック穴２８の中に引っかからせ、この時にラチェットギア４０が第三スライドロッド３７にロックされ、回転できないため、ボルト２０が取り戻せなくなり、設備がしっかりとロックされ、設備がロックを解く必要がある時に鍵で機械キーシリンダ４４を回転させ、機械キーシリンダ４４が回転して第二回転軸４３を連動して回転させ、それによりリール４２を連動して引き線３６を引き動かし、引き線３６が第三スライドロッド３７を上へ持ち上げ、この時にラチェットギア４０がアンロックになり、顔認識モジュール４７により認識した後、モーター５が逆方向に回転してねじ山スリーブ６を連動して逆方向に回転させてネジロッド８を連動して左へ移動させ、それにより力蓄積バネ１５を引っ張り、力蓄積バネ１５がラック１７を引き動かし、それによりボルト２０をボルト空間１９の中に引き戻し、設備が初期状態に戻る。
【００２２】
上記の詳細な分析からわかることは：本発明の設備は機械式ロック及び電子ロックを利用して二重ロックし、設備をロックするとき簡単な操作で実現でき、ただしロックを解く時には機械式の鍵と顔認識モジュールとの協働が必要であり、それにより設備を頑丈にロックでき、安全性がより高くなる。
【００２３】
したがって、本発明のインテリジェントセーフティロックは整体構造がより合理で巧妙であり、使用にも便利であり、ドアを閉める時にドアをロックし、ただし設備がロックを解くことが困難であり、機械式の鍵と顔認識モジュールとの協働が必要であり、安全性がより高くなり、高い使用と普及の価値がある。
【００２４】
上記の記載は、ただ発明の具体的な実施方式であり、但し発明の保護範囲はこれに限定されるものではなく、創造的な労働を通さない場合で想到できるすべての変化または入れ替わりはいずれも発明の保護範囲に含むべきである。そのため、発明の保護範囲は請求項に限定した保護範囲に準じるベきである。
【図１】
2020180539.tif 000003
【図２】
2020180539.tif 000004
【図３】
2020180539.tif 000005
【図４】
2020180539.tif 000006
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
正面視で、ロックボディ及び前記ロックボディと協働されるロックブロックを含み、前記ロックボディは前記ロックボディの中に設置される第一伝動空間を含み、前記第一伝動空間の右側端壁の中には上下対称の第二伝動空間が連通するように設置され、上下二つの前記第二伝動空間の間には押圧プッシュ空間が設置され、前記押圧プッシュ空間の中には押圧プッシュ装置が設置され、前記第二伝動空間のうち前記押圧プッシュ空間から離れている側の端壁の中にはカム空間が設置され、前記カム空間の中には突き出し装置が設置され、前記ロックボディの右側端壁の中には右方に開口したボルト空間が設置され、前記ボルト空間の中にはボルトがスライドできるように設置され、前記ボルト空間の中にはロック装置が設置され、前記ボルト空間と前記押圧プッシュ空間との間には第一スライド穴が連通するように設置され、前記第一スライド穴の上下端壁の中には第三伝動空間が設置され、前記第三伝動空間の前側端壁の中には糸巻き空間が設置され、前記糸巻き空間にはアンロック装置が設置され、前記ロックボディの前側端壁には顔認識モジュールが固定的に設置されることを特徴とするインテリジェントセーフティロック。
【請求項２】
前記押圧プッシュ装置は前記押圧プッシュ空間の左側端壁の中に回転できるように設置されて前記第一伝動空間を貫通しているねじ山スリーブを含み、前記第一伝動空間の中にある前記ねじ山スリーブの外表面には第一傘歯車が固定的に設置され、前記ねじ山スリーブの左側末端が前記第一伝動空間の端壁の中に插入され、且つ固定的に設置されているモーターと動力が伝達できるように連結され、前記ねじ山スリーブの右側端壁の中には右方に開口したネジ穴が設置され、前記ネジ穴の中には右へ伸びているネジロッドがねじ山によって連結され、前記ネジロッドの右側末端と前記スライドブロックとが固定的に連結され、前記第一スライド穴の中には前記スライドブロックと固定的に連結される第一スライドロッドがスライドできるように設置され、前記第一スライドロッドと前記第一スライド穴の端壁との間には第一弾性戻し装置が設置され、
前記突き出し装置は前記第二伝動空間と前記カム空間との間に回転できるように設置される第一回転軸を含み、前記第二伝動空間の中にある前記第一回転軸の末端には前記第一傘歯車と噛み合う第二傘歯車が固定的に設置され、前記カム空間の中にある前記第一回転軸の末端にはカムが固定的に設置され、前記カム空間の右側端壁の中には外部に連通する第二スライド穴が設置され、前記第二スライド穴の中には第二スライドロッドがスライドできるように設置され、前記第二スライドロッドの中には上下に貫通するロック穴が設置され、前記第二スライドロッドと前記第二スライド穴の端壁との間には第二弾性戻し装置が設置されることを特徴とする請求項１に記載のインテリジェントセーフティロック。
【請求項３】
前記ロック装置は前記第一スライド穴の中にスライドできるように設置されて前記ボルトと固定的に連結されるラックを含み、前記ラックの右側末端と前記第一スライドロッドの左側末端との間には力蓄積バネが設置され、前記第三伝動空間の中には前記ラックと噛み合うラチェットギアが回転できるように設置され、前記第三伝動空間のうち前記第一スライド穴から離れている側の端壁の中には滑車空間が設置され、前記滑車空間と前記第三伝動空間との間には第三スライド穴が連通するように設置され、前記第三スライド穴の中には前記ラチェットギアと協働される第三スライドロッドがスライドできるように設置され、前記第三スライドロッドと前記第三スライド穴の端壁との間には第三弾性戻し装置が設置され、前記滑車空間と前記糸巻き空間との間には引き線穴が連通するように設置され、前記滑車空間の中には滑車が回転できるように設置され、前記糸巻き空間の前側端壁の中には前後に伸びている第二回転軸が回転できるように設置され、前記糸巻き空間の中にある前記第二回転軸の外表面にはリールが固定的に設置され、前記リールの外表面には前記滑車を通し抜けて前記第三スライドロッドと固定的に連結される引き線が周設され、前記第二回転軸の前側末端には機械キーシリンダが固定的に連結され、
前記ロックボディの右側端壁には前記ボルト空間の上下両側に位置する第四スライド穴が設置され、前記ボルト空間の上下端壁の中には前記第四スライド穴を貫通している第五スライド穴が設置され、前記第四スライド穴の中には第四スライドロッドがスライドできるように設置され、前記第四スライドロッドと前記第四スライド穴の端壁との間には第四弾性戻し装置が設置され、前記第五スライド穴の中には第五スライドロッドがスライドできるように設置され、前記第五スライドロッドと前記第五スライド穴の端壁との間には第五弾性戻し装置が設置され、前記第五スライドロッドの中には左右を貫通している楔形穴が設置され、前記ボルトの上下端壁の中には凹溝が対称的に設置されることを特徴とする請求項１又は請求項２に記載のインテリジェントセーフティロック。
【請求項４】
前記ロックブロックの左側端壁の中には左方に開口したロック溝及び前記ロック溝の上下両側に対称的に設置される差し込み穴が設置され、前記差し込み穴と前記ロック溝との間には第六スライド穴が連通するように設置され、前記第六スライド穴の中には第六スライドロッドがスライドできるように設置され、前記第六スライドロッドと前記第六スライド穴の端壁との間には第六弾性戻し装置が設置されることを特徴とする請求項１又は請求項２又は請求項３に記載のインテリジェントセーフティロック。
【手続補正２】
【補正対象書類名】明細書
【補正対象項目名】全文
【補正方法】変更
【補正の内容】
【発明の詳細な説明】
【技術分野】
【０００１】
本発明はロック分野に関わり、具体的にはインテリジェントセーフティロックである。
【背景技術】
【０００２】
伝統的なインテリジェントセーフティロックは安全性が低く、ロックする方式が単一であり、既存のニーズを満たすことができなく、したがって、既存技術の中のセーフティロックを更に改善する必要があり、それによりセーフティロックの信頼度と安全性を高める。
【先行技術文献】
【特許文献】
【０００３】
【特許文献１】中国特許出願公開第１０４９４８０２７号明細書
【発明の概要】
【発明が解決しようとする課題】
【０００４】
本発明はインテリジェントセーフティロックを提供し、既存技術にある上記問題を解決し、設備の信頼度と安全性を高めることを目的とする。
【課題を解決するための手段】
【０００５】
本発明のインテリジェントセーフティロックは、ロックボディ及び前記ロックボディと協働されるロックブロックを含み、前記ロックボディは前記ロックボディの中に設置される第一伝動空間を含み、前記第一伝動空間の右側端壁の中には上下対称の第二伝動空間が連通するように設置され、上下二つの前記第二伝動空間の間には押圧プッシュ空間が設置され、前記押圧プッシュ空間の中には押圧プッシュ装置が設置され、前記第二伝動空間のうち前記押圧プッシュ空間から離れている側の端壁の中にはカム空間が設置され、前記カム空間の中には突き出し装置が設置され、前記ロックボディの右側端壁の中には右方に開口したボルト空間が設置され、前記ボルト空間の中にはボルトがスライドできるように設置され、前記ボルト空間の中にはロック装置が設置され、前記ボルト空間と前記押圧プッシュ空間との間には第一スライド穴が連通するように設置され、前記第一スライド穴の上下端壁の中には第三伝動空間が設置され、前記第三伝動空間の前側端壁の中には糸巻き空間が設置され、前記糸巻き空間にはアンロック装置が設置され、前記ロックボディの前側端壁には顔認識モジュールが固定的に設置される。
【０００６】
前記押圧プッシュ装置は前記押圧プッシュ空間の左側端壁の中に回転できるように設置されて前記第一伝動空間を貫通しているねじ山スリーブを含み、前記第一伝動空間の中にある前記ねじ山スリーブの外表面には第一傘歯車が固定的に設置され、前記ねじ山スリーブの左側末端が前記第一伝動空間の端壁の中に插入され、且つ固定的に設置されているモーターと動力が伝達できるように連結され、前記ねじ山スリーブの右側端壁の中には右方に開口したネジ穴が設置され、前記ネジ穴の中には右へ伸びているネジロッドがねじ山によって連結され、前記ネジロッドの右側末端と前記スライドブロックとが固定的に連結され、前記第一スライド穴の中には前記スライドブロックと固定的に連結される第一スライドロッドがスライドできるように設置され、前記第一スライドロッドと前記第一スライド穴の端壁との間には第一弾性戻し装置が設置される。
【０００７】
前記突き出し装置は前記第二伝動空間と前記カム空間との間に回転できるように設置される第一回転軸を含み、前記第二伝動空間の中にある前記第一回転軸の末端には前記第一傘歯車と噛み合う第二傘歯車が固定的に設置され、前記カム空間の中にある前記第一回転軸の末端にはカムが固定的に設置され、前記カム空間の右側端壁の中には外部に連通する第二スライド穴が設置され、前記第二スライド穴の中には第二スライドロッドがスライドできるように設置され、前記第二スライドロッドの中には上下に貫通するロック穴が設置され、前記第二スライドロッドと前記第二スライド穴の端壁との間には第二弾性戻し装置が設置される。
【０００８】
好ましくは、前記ロック装置は前記第一スライド穴の中にスライドできるように設置されて前記ボルトと固定的に連結されるラックを含み、前記ラックの右側末端と前記第一スライドロッドの左側末端との間には力蓄積バネが設置され、前記第三伝動空間の中には前記ラックと噛み合うラチェットギアが回転できるように設置され、前記第三伝動空間のうち前記第一スライド穴から離れている側の端壁の中には滑車空間が設置され、前記滑車空間と前記第三伝動空間との間には第三スライド穴が連通するように設置され、前記第三スライド穴の中には前記ラチェットギアと協働される第三スライドロッドがスライドできるように設置され、前記第三スライドロッドと前記第三スライド穴の端壁との間には第三弾性戻し装置が設置され、前記滑車空間と前記糸巻き空間との間には引き線穴が連通するように設置され、前記滑車空間の中には滑車が回転できるように設置され、前記糸巻き空間の前側端壁の中には前後に伸びている第二回転軸が回転できるように設置され、前記糸巻き空間の中にある前記第二回転軸の外表面にはリールが固定的に設置され、前記リールの外表面には前記滑車を通し抜けて前記第三スライドロッドと固定的に連結される引き線が周設され、前記第二回転軸の前側末端には機械キーシリンダが固定的に連結される。
【０００９】
前記ロックボディの右側端壁には前記ボルト空間の上下両側に位置する第四スライド穴が設置され、前記ボルト空間の上下端壁の中には前記第四スライド穴を貫通している第五スライド穴が設置され、前記第四スライド穴の中には第四スライドロッドがスライドできるように設置され、前記第四スライドロッドと前記第四スライド穴の端壁との間には第四弾性戻し装置が設置され、前記第五スライド穴の中には第五スライドロッドがスライドできるように設置され、前記第五スライドロッドと前記第五スライド穴の端壁との間には第五弾性戻し装置が設置され、前記第五スライドロッドの中には左右を貫通している楔形穴が設置され、前記ボルトの上下端壁の中には凹溝が対称的に設置される。
【００１０】
好ましくは、前記ロックブロックの左側端壁の中には左方に開口したロック溝及び前記ロック溝の上下両側に対称的に設置される差し込み穴が設置され、前記差し込み穴と前記ロック溝との間には第六スライド穴が連通するように設置され、前記第六スライド穴の中には第六スライドロッドがスライドできるように設置され、前記第六スライドロッドと前記第六スライド穴の端壁との間には第六弾性戻し装置が設置される。
【発明の効果】
【００１１】
本発明の有益な効果は：本発明のインテリジェントセーフティロックは整体構造がより合理で巧妙であり、使用にも便利であり、ドアを閉める時にドアをロックし、ただし設備がロックを解くことが困難であり、機械式の鍵と顔認識モジュールとの協働が必要であり、安全性がより高くなり、高い使用と普及の価値がある。
【図面の簡単な説明】
【００１２】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本発明のインテリジェントセーフティロックの整体構成概略図
【図２】図２は図１の中のロックボディの構成概略図
【図３】図３は図１の中のロックブロックの構成概略図
【図４】図４は図２の中のＡ―Ａの構成概略図
【発明を実施するための形態】
【００１４】
本説明書に開示したすべての特徴、または開示したすべての方法または過程中のステップは、互いに排斥する特徴と／またはステップ以外に、いずれもあらゆる方式で組み合わせることができる。
【００１５】
図１〜４に示すように、本発明のインテリジェントセーフティロックは、ロックボディ１及び前記ロックボディ１と協働されるロックブロック５０を含み、前記ロックボディ１は前記ロックボディ１の中に設置される第一伝動空間９を含み、前記第一伝動空間９の右側端壁の中には上下対称の第二伝動空間１０が連通するように設置され、上下二つの前記第二伝動空間１０の間には押圧プッシュ空間１１が設置され、前記押圧プッシュ空間１１の中には押圧プッシュ装置が設置され、前記第二伝動空間１０のうち前記押圧プッシュ空間１１から離れている側の端壁の中にはカム空間３３が設置され、前記カム空間３３の中には突き出し装置が設置され、前記ロックボディ１の右側端壁の中には右方に開口したボルト空間１９が設置され、前記ボルト空間１９の中にはボルト２０がスライドできるように設置され、前記ボルト空間１９の中にはロック装置が設置され、前記ボルト空間１９と前記押圧プッシュ空間１１との間には第一スライド穴１６が連通するように設置され、前記第一スライド穴１６の上下端壁の中には第三伝動空間４１が設置され、前記第三伝動空間４１の前側端壁の中には糸巻き空間４５が設置され、前記糸巻き空間４５にはアンロック装置が設置され、前記ロックボディ１の前側端壁には顔認識モジュール４７が固定的に設置される。
【００１６】
次に、図１〜４を参考して本願の前記押圧プッシュ装置と前記突き出し装置の具体的な構成を詳しく紹介し、前記押圧プッシュ装置は前記押圧プッシュ空間１１の左側端壁の中に回転できるように設置されて前記第一伝動空間９を貫通しているねじ山スリーブ６を含み、前記第一伝動空間９の中にある前記ねじ山スリーブ６の外表面には第一傘歯車４が固定的に設置され、前記ねじ山スリーブ６の左側末端が前記第一伝動空間９の端壁の中に插入され、且つ固定的に設置されているモーター５と動力が伝達できるように連結され、前記ねじ山スリーブ６の右側端壁の中には右方に開口したネジ穴７が設置され、前記ネジ穴７の中には右へ伸びているネジロッド８がねじ山によって連結され、前記ネジロッド８の右側末端と前記スライドブロック１２とが固定的に連結され、前記第一スライド穴１６の中には前記スライドブロック１２と固定的に連結される第一スライドロッド１４がスライドできるように設置され、前記第一スライドロッド１４と前記第一スライド穴１６の端壁との間には第一弾性戻し装置１３が設置される。
【００１７】
前記突き出し装置は前記第二伝動空間１０と前記カム空間３３との間に回転できるように設置される第一回転軸２を含み、前記第二伝動空間１０の中にある前記第一回転軸２の末端には前記第一傘歯車４と噛み合う第二傘歯車３が固定的に設置され、前記カム空間３３の中にある前記第一回転軸２の末端にはカム３２が固定的に設置され、前記カム空間３３の右側端壁の中には外部に連通する第二スライド穴３０が設置され、前記第二スライド穴３０の中には第二スライドロッド３１がスライドできるように設置され、前記第二スライドロッド３１の中には上下に貫通するロック穴２８が設置され、前記第二スライドロッド３１と前記第二スライド穴３０の端壁との間には第二弾性戻し装置が設置される。
【００１８】
有益なように、前記ロック装置は前記第一スライド穴１６の中にスライドできるように設置されて前記ボルト２０と固定的に連結されるラック１７を含み、前記ラック１７の右側末端と前記第一スライドロッド１４の左側末端との間には力蓄積バネ１５が設置され、前記第三伝動空間４１の中には前記ラック１７と噛み合うラチェットギア４０が回転できるように設置され、前記第三伝動空間４１のうち前記第一スライド穴１６から離れている側の端壁の中には滑車空間３４が設置され、前記滑車空間３４と前記第三伝動空間４１との間には第三スライド穴３９が連通するように設置され、前記第三スライド穴３９の中には前記ラチェットギアと協働される第三スライドロッド３７がスライドできるように設置され、前記第三スライドロッド３７と前記第三スライド穴３９の端壁との間には第三弾性戻し装置３８が設置され、前記滑車空間３４と前記糸巻き空間４５との間には引き線穴４６が連通するように設置され、前記滑車空間３４の中には滑車３５が回転できるように設置され、前記糸巻き空間４５の前側端壁の中には前後に伸びている第二回転軸４３が回転できるように設置され、前記糸巻き空間４５の中にある前記第二回転軸４３の外表面にはリール４２が固定的に設置され、前記リール４２の外表面には前記滑車３５を通し抜けて前記第三スライドロッド３７と固定的に連結される引き線３６が周設され、前記第二回転軸４３の前側末端には機械キーシリンダ４４が固定的に連結される。
【００１９】
前記ロックボディ１の右側端壁には前記ボルト空間１９の上下両側に位置する第四スライド穴２３が設置され、前記ボルト空間１９の上下端壁の中には前記第四スライド穴２３を貫通している第五スライド穴２７が設置され、前記第四スライド穴２３の中には第四スライドロッド２４がスライドできるように設置され、前記第四スライドロッド２４と前記第四スライド穴２３の端壁との間には第四弾性戻し装置２５が設置され、前記第五スライド穴２７の中には第五スライドロッド２６がスライドできるように設置され、前記第五スライドロッド２６と前記第五スライド穴２７の端壁との間には第五弾性戻し装置２１が設置され、前記第五スライドロッド２６の中には左右を貫通している楔形穴２２が設置され、前記ボルト２０の上下端壁の中には凹溝１８が対称的に設置される。
【００２０】
有益なように、前記ロックブロック５０の左側端壁の中には左方に開口したロック溝５５及び前記ロック溝５５の上下両側に対称的に設置される差し込み穴５１が設置され、前記差し込み穴５１と前記ロック溝５５との間には第六スライド穴５４が連通するように設置され、前記第六スライド穴５４の中には第六スライドロッド５２がスライドできるように設置され、前記第六スライドロッド５２と前記第六スライド穴５４の端壁との間には第六弾性戻し装置５３が設置される。
【００２１】
本発明の設備が作動している時に、まずモーター５を始動してねじ山スリーブ６を連動して回転させ、それによりネジロッド８を連動して右へ移動させ、それにより力蓄積バネ１５を押圧し、それと同時に、ねじ山スリーブ６が回転して第一傘歯車４を連動して回転させ、それによりカム３２を連動して回転させて第二スライドロッド３１をロックボディ１から押し出し、ロックボディ１とロックブロック５０とが位置合わせる時、第二スライドロッド３１が差し込み穴５１の中に完全に插入され、ロックブロック５０が第四スライドロッド２４を左へ押し、第五スライドロッド２６を連動して上へ移動させて凹溝１８から離れさせ、ボルト２０が力蓄積バネ１５の作用により右へ移動し、ボルト２０が右へ移動して第六スライドロッド５２を連動して背に向けて移動させて第二スライドロッド３１の中にあるロック穴２８の中に引っかからせ、この時にラチェットギア４０が第三スライドロッド３７にロックされ、回転できないため、ボルト２０が取り戻せなくなり、設備がしっかりとロックされ、設備がロックを解く必要がある時に鍵で機械キーシリンダ４４を回転させ、機械キーシリンダ４４が回転して第二回転軸４３を連動して回転させ、それによりリール４２を連動して引き線３６を引き動かし、引き線３６が第三スライドロッド３７を上へ持ち上げ、この時にラチェットギア４０がアンロックになり、顔認識モジュール４７により認識した後、モーター５が逆方向に回転してねじ山スリーブ６を連動して逆方向に回転させてネジロッド８を連動して左へ移動させ、それにより力蓄積バネ１５を引っ張り、力蓄積バネ１５がラック１７を引き動かし、それによりボルト２０をボルト空間１９の中に引き戻し、設備が初期状態に戻る。
【００２２】
上記の詳細な分析からわかることは：本発明の設備は機械式ロック及び電子ロックを利用して二重ロックし、設備をロックするとき簡単な操作で実現でき、ただしロックを解く時には機械式の鍵と顔認識モジュールとの協働が必要であり、それにより設備を頑丈にロックでき、安全性がより高くなる。
【００２３】
したがって、本発明のインテリジェントセーフティロックは整体構造がより合理で巧妙であり、使用にも便利であり、ドアを閉める時にドアをロックし、ただし設備がロックを解くことが困難であり、機械式の鍵と顔認識モジュールとの協働が必要であり、安全性がより高くなり、高い使用と普及の価値がある。
【００２４】
上記の記載は、ただ発明の具体的な実施方式であり、但し発明の保護範囲はこれに限定されるものではなく、創造的な労働を通さない場合で想到できるすべての変化または入れ替わりはいずれも発明の保護範囲に含むべきである。そのため、発明の保護範囲は請求項に限定した保護範囲に準じるベきである。